(57)【要約】【課題】本考案は、フラットディスプレイを壁面に取り付ける金具であって、各々の部材の組合せによって自在に機器の使用状況やサイズに合わせた収納ボックスを取り付け設置することのできるフラットディスプレイ用壁面取り付け金具を提供すること。【解決手段】ベース金具１とディスプレイ取り付け金具２と左右のサイドパネル３と上下の受け金具４と底パネル５から構成され、壁面に取り付けたベース金具１に設置機器の有無やサイズの状況に応じてサイドパネル３と底パネル５の使用組合せを選択し固定させ上下の受け金具４を取り付けし、さらにフラットディスプレイの背面に取り付けたディスプレイ取り付け金具２を付設固定させることを構造としたフラットディスプレイ用壁面取り付け金具である。【選択図】図１
0003218058.tif 000002
【実用新案登録請求の範囲】
【請求項１】
壁面に取り付けたベース金具に設置機器の有無やサイズの状況に応じて、左右のサイドパネルと底パネルの使用組み合せを選択し固定させ上下の受け金具を取り付けし、さらにフラットディスプレイの背面に取り付けたディスプレイ取り付け金具を上部の受け金具へ付設固定させることを構造としたフラットディスプレイ用壁面取り付け金具。
【考案の詳細な説明】
【技術分野】
【０００１】  本考案は、フラットディスプレイ用の壁面取り付け金具に関するものである。
【背景技術】
【０００２】  従来、教育現場や店舗、駅構内等で壁面に様々な情報等の映像を写し出すフラットディスプレイ用の取り付け金具は、例えば非特許文献１に開示されているように壁面に取り付け固定するベース金具の部分とフラットディスプレイの背面に接続させ、ベース金具へ付設固定させるディスプレイ取り付け金具から構成されている。【０００３】  又、非特許文献２では、壁面に取り付け固定するベース金具とフラットディスプレイを取り付けるディスプレイ取り付け金具との間にボックスを設けて、セットトップボックス等の様々な接続機器を収納させる構造を開示している。
【先行技術文献】
【非特許文献】
【０００４】
【非特許文献１】「オーロラＡＶ総合カタログＶｏｌ．４７」．株式会社共栄商事Ｐ．４４
【非特許文献２】「オーロラＡＶ総合カタログＶｏｌ．４７」．株式会社共栄商事Ｐ．４２
【考案の概要】
【考案が解決しようとする課題】
【０００５】  しかしながら、上述した非特許文献１ではフラットディスプレイを壁面に近づけて設置する構造となっている為、セットトップボックス等の機器を傍に設置する事は出来ず、機器の設置場所から面倒な配線等を行わざるを得ず配線も露出し景観を損なってしまう。【０００６】  又、非特許文献２では、非特許文献１の不便さを解消して、ベース金具とフラットディスプレイを取り付けるディスプレイ取り付け金具との間にボックスを設け、セットトップボックス等を収納できる構造を採用している。しかしながら、この構造だと、ボックスの収納サイズが決まっている為サイズの小さな機器を収納しても決まったサイズの奥行きに規定され側面からの見栄えが好ましくない。【０００７】  本考案は上記問題を鑑みてなされたもので、収納する接続機器の大きさや使用目的に合わせて金具の奥行きを可変でき、しかも軽量で見栄えも良いフラットディスプレイ用壁面取り付け金具を提供する事である。
【課題を解決するための手段】
【０００８】  上記の課題を達成するため本考案は、壁面に取り付けたベース金具に、収納する機器の奥行き寸法に合わせて、長短不等辺に折り曲げた左右のサイドパネルの片辺を選び、底板と上下の受け金具を共にこのベース金具へ接続し、さらにフラットディスプレイの背面に取り付けたディスプレイ取り付け金具を付設固定させることを構造としたフラットディスプレイ用壁面取り付け金具。
【考案の効果】
【０００９】  本考案の効果として、フラットディスプレイ取り付け金具と機器収納ボックスの各々の部材を兼用する構造としている為、必要最小限の部材で済み質量の軽量化とコストダウンに繋がり、さらに収納する機器の奥行き寸法に合わせて接続固定する部材を選択する為、効率的な奥行き寸法が得られ、側面からの見栄えも良い。
【図面の簡単な説明】
【００１０】
【図１】本考案に係わるフラットディスプレイ用壁面取り付け金具の構成図である。
【図２】同上、フラットディスプレイ用壁面取り付け金具に奥行きのある収納機器を納めた場合の側面図である。
【図３】同上、フラットディスプレイ用壁面取り付け金具に奥行きの薄い収納機器を納めた場合の側面図である。
【図４】同上、フラットディスプレイ用壁面取り付け金具に収納機器を使用しない場合の側面図である。
【考案を実施するための形態】
【００１１】  以下、本考案を実施する為の形態を図面にもとづき説明する。
【実施例】
【００１２】  図１は、本考案に係るフラットディスプレイ用の壁面取り付け金具の構成図であり、ベース金具１とディスプレイ取り付け金具２と左右のサイドパネル３と上下の受け金具４と底パネル５からなり、壁面にベース金具１を取り付け収納する機器の奥行き寸法に合わせて、長短不等辺に折り曲げた左右のサイドパネル３の片辺を選び、該ベース金具１に接続固定し、底パネル５と上下の受け金具４も共に該サイドパネル３に接続固定し、さらにフラットディスプレイの背面に取り付けたディスプレイ取り付け金具２を付設固定させる構成を示している。【００１３】  ベース金具１は、左右をコの字状に立上げた形状で壁面に当たる面には四方に取り付け用の長穴と壁からの通線孔を設け、両サイドの立ち上げ面の上下にサイドパネル３、又は受け金具４との接続用の貫通穴を設け、さらに左右立上げ面のセンター内側にナット溶接を施しディスプレイ取り付け金具２との脱落防止用のボルト穴とする。【００１４】  ディスプレイ取り付け金具２は、四方を立上げ箱状としディスプレイの背面と接続する面には、ＶＥＳＡ規格に対応した寸法で複数の取り付け穴を設け上部立上げ面には、受け金具４へ付設固定させる為のフック状のツメを設け、下部立上げ面にはフラットディスプレイを受け金具４に付設させた時に脱落しないようにボルトで押さえる為のナットを溶接した貫通穴を施し、両サイドの立上げ面のセンターには下部と同様にナットを溶接した貫通穴を施す。これはフラットディスプレイを縦設置した時に下部からの押さえが困難となる為、両サイドの横から脱落防止を行う為のものである。【００１５】  上下の受け金具４は、Ｌ型金具の両端をコの字状となるよう折り曲げた形状で両端の折り曲げた辺にはベース金具１又はサイドパネル３との接続用のナット溶接を施した貫通穴を設ける。該受け金具４は、ベース金具１又は両サイドパネル３の上下に接続し、上部はディスプレイ取り付け金具２の付設用で使用し、下部はディスプレイ取付け金具２の脱落防止用のボルト止めとして使用する為、同じ形状の物を用意する。【００１６】  図２は、同上図１で示したフラットディスプレイ用の壁面取り付け金具に奥行きのある収納機器を納めた場合の側面図であり、不等辺に折り曲げたＬ型状のサイドパネル３の長辺側を側面にし、短辺側をベース金具１へ固定し、底パネル５と上下の受け金具４を共にこのサイドパネル３に接続固定し、フラットディスプレイ１１の背面に取り付けたディスプレイ取り付け金具２を上部の受け金具４に引っ掛ける形状で付設固定させた状況を示している。【００１７】  サイドパネル３は、不等辺に折り曲げたＬ型形状で各々の辺をベース金具１との組み合せによって奥行き寸法を変えるため、両辺に同じ内容で接続用貫通穴と固定用ナット溶接を施す。これにより収納機器の奥行きの寸法に合わせて、使用するサイドパネル３の辺を選択して設置固定するため、最適な奥行き寸法を得ることができる。【００１８】  底パネル５は、不等辺に折り曲げたＬ型形状の両先端をコの字状に折り曲げ両サイドパネル３との接続用溶接ナットを施す。この時不等辺に折り曲げた長い方の辺は、サイドパネル３の短い方の辺を利用した時の隙間に合わせた寸法設定とする。又、Ｌ���に折り曲げる事により収納機器の重みに対しての補強となる。さらに、サイドパネル３の短い方の辺に合わせた寸法とするのは、サイドパネル３の長い方の辺を選択して接続固定した場合に底部分に寸法差による隙間が生じるが、奥行きのある機器はそれなりに熱量を伴うのでそれを逃がす為の放熱構造も兼ねている。【００１９】  図３は、同上図１で示したフラットディスプレイ用の壁面取り付け金具に奥行きのない収納機器を納めた場合の側面図であり、不等辺に折り曲げたＬ型状のサイドパネル３の短辺側を側面にし、長辺側をベース金具１へ固定し、底パネル５と上下の受け金具４を共にこのサイドパネル３に接続固定し、フラットディスプレイ１１の背面に取り付けたディスプレイ取り付け金具２を上側の受け金具４に引っ掛ける形状で付設固定させた状況を示している。【００２０】  図４は、同上図１で示したフラットディスプレイ用の壁面取り付け金具に機器を使用しない場合の側面図である。壁面１２に取り付けたベース金具１にサイドパネル３と底パネル５を使用せず、上下の受け金具４を直接取り付け固定しフラットディスプレイ１１の背面に取り付けたディスプレイ取り付け金具２を該受け金具４に付設させた状況を示しており、壁面１２に対して隙間がないスマートな状況で設置されており景観が良い。
【産業上の利用可能性】
【００２１】  本考案はフラットディスプレイ用の壁面取り付け金具として勘案されているが、壁面だけでなく天井からの吊り下げ式のハンガーや床設置のスタンド等に取付ける機器収納ボックスとしても応用でき万能性がある。
【符号の説明】
【００２２】  １．  ベース金具
２．  ディスプレイ取り付け金具
３．  サイドパネル
４．  受け金具
５．  底パネル
１１．フラットディスプレイ
１２．壁面
【図１】
0003218058.tif 000003
【図２】
0003218058.tif 000004
【図３】
0003218058.tif 000005
【図４】
0003218058.tif 000006